(57)【要約】【課題】  宅配業者の時間ロスを軽減できるインターホンシステムを提供する。【解決手段】  インターホンシステム１は、住戸の玄関に設けられた玄関子機２と、玄関子機２からの呼び出しに居住者が応答する居室親機３と、住戸に荷物を配送するための配送先情報４４を管理する管理サーバ４と、管理サーバ４から配送先情報４４を受信する情報端末５を備える。配送先情報４４は、居室親機３のＩＰアドレスを含み、情報端末５は、外部ネットワークＮを介して居住者Ｐ２の在宅を確認するために居室親機３を呼び出す配送確認手段を有する。【選択図】図１
2020162012.tif 000002
【特許請求の範囲】
【請求項１】
住戸の玄関に設けられた玄関子機と、前記玄関子機からの呼び出しに居住者が応答する居室親機と、前記住戸に荷物を配送するための配送先情報を管理する管理サーバと、前記管理サーバから前記配送先情報を受信する情報端末と、を備え、
前記配送先情報が、前記居室親機に関する居室親機情報を含み、
前記情報端末が、外部ネットワークを介して居住者の在宅を確認するために前記居室親機を呼び出す配送確認手段を含むことを特徴とするインターホンシステム。
【請求項２】
前記配送確認手段が、前記居室親機に呼出信号を送信する請求項１に記載のインターホンシステム。
【請求項３】
前記玄関子機が、来訪者が居住者を呼び出す呼出手段を含み、
前記配送確認手段が、前記玄関子機に呼出信号を送信し、
前記呼出手段が、前記呼出信号を前記居室親機に中継する請求項１に記載のインターホンシステム。
【請求項４】
前記居室親機が、前記呼出手段からの呼び出しを出力する出力手段を含み、
前記出力手段は、前記配送確認手段からの呼び出しを前記呼出手段からの呼び出しと識別可能に出力する請求項１〜３のいずれか一項に記載のインターホンシステム。
【請求項５】
前記居室親機は、前記配送確認手段による呼び出しに居住者が応答する応答手段を含み、
前記情報端末は、前記呼出信号を送信した後、所定の時間が経過する前までに前記応答手段からの応答が無かった場合に、不在連絡情報を前記居室親機に送信する不在連絡情報送信手段を含む、請求項１〜４のいずれか一項に記載のインターホンシステム。
【請求項６】
前記不在連絡情報が、再配送に関する情報を含む再配送情報を含み、
前記居室親機は、前記再配送情報に基づいて居住者が再配送を依頼する再配送依頼手段を含む請求項５に記載のインターホンシステム。
【発明の詳細な説明】
【技術分野】
【０００１】
本発明は、宅配業者が遠隔から配送確認をすることができるインターホンシステムに関する。
【背景技術】
【０００２】
従来より、宅配業者が荷物を配送する際には、配送先の住戸に訪問し、インターホンで居住者を呼び出し、応答した居住者に荷物を引き渡すことが慣行されている。例えば、特許文献１には、宅配業者がインターホンで居住者を呼び出したときに、居住者が宅配業者のなりすましの有無を確認できる技術が開示されている。
【先行技術文献】
【特許文献】
【０００３】
【特許文献１】特願２００９−１７１４０号公報
【発明の概要】
【発明が解決しようとする課題】
【０００４】
しかし、特許文献１の技術によれば、居住者が在宅していない場合、宅配業者が、配送車から降車し、住戸の玄関まで移動し、玄関子機を操作して居室親機の応答を待つ手間が全て無駄となるという問題があった。特に、居住者の不在が連続した場合には、多大な時間ロスを招くという問題もあった。
【０００５】
そこで、本発明の目的は、居住者が不在であっても宅配業者の手間や時間ロスを低減することができるインターホンシステムを提供することにある。
【課題を解決するための手段】
【０００６】
上記課題を解決するために、本発明のインターホンシステムは、住戸の玄関に設けられた玄関子機と、玄関子機からの呼び出しに居住者が応答する居室親機と、住戸に荷物を配送するための配送先情報を管理する管理サーバと、管理サーバから配送先情報を受信する情報端末と、を備え、配送先情報が、居室親機に関する居室親機情報を含み、情報端末が、外部ネットワークＮを介して居住者の在宅を確認するために居室親機を呼び出す配送確認手段を含むことを特徴とする。
【０００７】
このとき、配送確認手段は、居室親機に呼出信号を送信しても、玄関子機に呼出信号を送信してもよい。玄関子機に呼出信号を送信する場合には、玄関子機が来訪者が居住者を呼び出す呼出手段を含み、配送確認手段が、玄関子機に呼出信号を送信し、呼出手段が、呼出信号を居室親機に中継する。
【０００８】
また、居室親機が、呼出手段からの呼び出しを出力する出力手段を含み、出力手段は、配送確認手段からの呼び出しを呼出手段からの呼び出しと識別可能に出力することが好ましい。
【０００９】
その他、居室親機は、配送確認手段による呼び出しに居住者が応答する応答手段を含み、情報端末は、呼出信号を送信した後、所定の時間が経過する前までに応答手段からの応答が無かった場合に、不在連絡情報を居室親機に送信する不在連絡情報送信手段を含むように構成しても良い。
【００１０】
この場合には、不在連絡情報が、再配送に関する情報を含む再配送情報を含み、居室親機は、再配送情報に基づいて居住者が再配送を依頼する再配送依頼手段を含むことが好ましい。
【発明の効果】
【００１１】
本発明のインターホンシステムによれば、宅配業者は、情報端末から配送先住戸の居室親機に配送確認を実施できるため、配送先が不在の場合に、配送車から降りて玄関口まで出向いたり、不在連絡票をポストに入れたりする不在確認の手間を省くことが可能となり、配送時間全体を削減することができるという効果がある。また、既存のインターホンシステムを利用して配送確認を実施できるため、導入コストを抑えることができるという効果も有する。
【図面の簡単な説明】
【００１２】
【図１】本発明の一実施形態を示すインターホンシステムの概略図である。
【図２】図１のインターホンシステムの構成を示すブロック図である。
【図３】（ａ）配送先情報を示す表、（ｂ）配送先選択画面の模式図である。
【図４】（ａ）配送確認中画面、（ｂ）配送確認画面の模式図である。
【図５】（ａ）配送可能画面、（ｂ）配送不可画面の模式図である。
【図６】（ａ）不在連絡票表示画面、（ｂ）再配送依頼画面の模式図である。
【図７】インターホンシステムの処理の流れを示すフローチャートである。
【図８】インターホンシステムの構成の変形例を示すブロック図である。
【発明を実施するための形態】
【００１３】
以下、本発明を住戸のインターホンシステムに具体化した一実施形態を図面に基づいて説明する。図１，２に示すように、この実施形態のインターホンシステム１は、住戸６の玄関に設けられた玄関子機２と、玄関子機２からの呼び出しに居住者Ｐ２が応答する居室親機３と、住戸６に荷物を配送するための配送先情報４４を管理する管理サーバ４と、管理サーバから配送先情報４４を受信する情報端末５から構成される。
【００１４】
玄関子機２と居室親機３は専用回線によって接続され、映像情報や音声情報等の各種情報を送受信することが可能である。また、来訪者が玄関子機２の呼出ボタン２７が押下し、居住者が居室親機３を操作して呼び出しに応答すると、通話路が形成されて双方向の通話が可能となる。
【００１５】
管理サーバ４は、インターネット等の外部ネットワークＮを介して居室親機３および情報端末５と接続されている。また、情報端末５は、インターネット等の外部ネットワークＮおよび基地局Ａを介して玄関子機２および居室親機３と接続されている。
【００１６】
玄関子機２は、居室親機３との通話手段としてのマイク２３およびスピーカ２４と、来訪者が居住者Ｐ２を呼び出す呼出手段としての呼出ボタン２７と、来訪者を撮影するカメラ（図示なし）と、玄関子機２を制御する制御部としてのＣＰＵ２１と、他装置と情報を送受信するためのインターフェース２２から構成される。
【００１７】
居室親機３は、玄関子機２との通話手段としてのマイク３３およびスピーカ３４と、来訪者や各種メニュー等を表示するモニタ３５と、情報端末５からの配送確認に居住者が応答するための応答部３６と、情報端末５から不在連絡情報を受信した場合に、居住者Ｐ２が管理サーバ４または情報端末５に再配送を依頼するための再配送依頼部３７と、居室親機３を制御する制御部としてのＣＰＵ３１と、他装置と情報を送受信するためのインターフェース３２から構成される。また、居室親機３には、応答部３６および再配送依頼部３７として機能する配送用アプリ３８がインストールされている。
【００１８】
このとき、居室親機３のスピーカ３４は、情報端末５の配送確認部５６が発信した呼出信号を受信した場合には、来訪者が玄関子機２の呼出ボタン２７を押下して居住者Ｐ２を呼び出す場合と異なる呼出音を出力する。このため、居住者Ｐ２は、容易に来訪者と宅配業者Ｐ１からの配送確認とを識別することができる。
【００１９】
管理サーバ４は、配送先情報４４を記憶する記憶部４３と、管理サーバ４を制御する制御部としてのＣＰＵ４１と、他装置と情報を送受信するためのインターフェース４２から構成される。
【００２０】
情報端末５は、通話手段としてのマイク５３およびスピーカ５４と、各種メニュー等を表示するモニタ５５と、居住者の在宅を確認するために居室親機３を呼び出す配送確認部５６と、居室親機３の応答部３６から応答が無かった場合に不在連絡情報を送信する不在連絡情報送信部５７と、情報端末５を制御する制御部としてのＣＰＵ５１と、他装置と情報を送受信するためのインターフェース５２から構成される。また、情報端末５には、配送確認部５６、不在連絡情報送信部５７として機能する配送用アプリ５８がインストールされている。なお、情報端末５としては、宅配業者Ｐ１が携帯する携帯電話、スマートフォン、タブレット等の携帯情報端末を選択できる。
【００２１】
配送先情報４４は、図３（ａ）に示すように、配送先の宛名、住所、電話番号等の他、居室親機３に関する居室親機情報として、居室親機ＩＤ、居室親機ＩＰアドレス等を含むことが可能である。
【００２２】
図３（ｂ）は、情報端末５のモニタ５５に表示される配送先選択画面１１である。モニタ５５としてはタッチパネルが好ましく採用でき、宅配業者Ｐ１が配送先「阿部」をタッチすると、配送確認部５６は、図５（ａ）に示すように、モニタ５５に配送確認中画面１２を表示し、配送先「阿部」に紐づく居室親機ＩＰアドレス情報を用いて、配送先の居室親機３を呼び出す。
【００２３】
図４（ｂ）は、居室親機３のモニタ３５に表示される配送確認画面１３である。モニタ３５としてはタッチパネルが好ましく採用でき、居住者Ｐ２が「在宅」をタッチすると、応答部３６は、情報端末５に応答を送信する。
【００２４】
図５は情報端末５のモニタ５５に表示された配送確認結果である。図５（ａ）に示す配送可能画面は、居住者Ｐ２が在宅の場合を表し、図６（ｂ）に示す配送不可画面１５は、居住者Ｐ２が不在の場合を表す。配送可能の判断は、配送確認部５６が居室親機３を呼び出してから所定の時間内に居室親機３から応答があった場合に配送可能と判断し、それ以外の場合は配送不可と判断する。ここで、所定の時間は、配送用アプリ５８を用いて、例えば１０分と設定することができる。また、配送不可と判断した場合には、配送確認部５６は自動的に居室親機３に不在連絡情報を送信する。
【００２５】
図６（ａ）は、居室親機３のモニタ３５に表示される不在連絡票画面１６である。不在連絡票画面１６は、情報端末５の配送確認部５６から受信した不在連絡情報に基づいて表示される。不在連絡情報は、例えば、配送確認部５６が居室親機３を呼び出した日時等を含む。
【００２６】
図７（ｂ）は、居室親機３のモニタに表示される再配送依頼画面１７である。再配送依頼画面１７は、情報端末５の配送確認部５６から受信した不在連絡情報に基づいて表示される。不在連絡情報は、上述の居室親機３を呼び出した日時の他、再配送可能な日付や時間帯等も含む。
【００２７】
次に、上記構成のインターホンシステム１の動作について図７に基づいて説明する。まず、配送確認部５６は、管理サーバ４から配送先情報４４を読み出し、配送先選択画面１１を表示する（Ｓ１）。宅配業者Ｐ１が配送先を選択すると、配送確認部５６は、情報端末５に配送確認中画面１２を表示するとともに、居室親機３に呼出信号を送信する（Ｓ２）。
【００２８】
情報端末５から呼出信号を受信した居室親機３の応答部３６は、モニタ３５に配送確認画面１３を表示する。そして、居住者Ｐ２が所定の時間内に居室親機３から応答操作を行った場合（Ｓ３：Ｙｅｓ）、居室親機３の応答部３６は、情報端末５に応答を送信し、情報端末５の配送確認部５６は、配送可能画面１４を表示して（Ｓ４）、処理を終了する。
【００２９】
一方、応答操作が行われず所定の時間が経過した場合（Ｓ３：Ｎｏ）、情報端末５の配送確認部５６は、配送不可画面１５を表示するとともに自動的に居室親機３に不在連絡情報を送信する（Ｓ５）。
【００３０】
不在連絡情報を受信した居室親機３の再配送依頼部３７は、不在連絡票画面１６を表示する（Ｓ６）。居住者Ｐ２が不在連絡票を確認して「再配達依頼」をタッチすると、再配送依頼部３７は、不在連絡情報に基づいて再配送依頼画面１７を表示する。居住者Ｐ２が再配達日時を選択して「送信」をタッチすると、再配送依頼部３７は、管理サーバ４または情報端末５に再配達依頼を送信し（Ｓ７）、処理を終了する。
【００３１】
本発明のインターホンシステムによれば、宅配業者Ｐ１は、情報端末５から遠隔で配送先住戸の居室親機３に配送確認を実施できるため、居住者が不在の場合には玄関先に出向いて不在連絡票を投函する手間を省き、配送時間のロスを削減することができるという効果がある。また、既存のインターホンシステム１を用いて居住者Ｐ２の在宅を確認するため、導入コストを削減できるという効果も有する。
【００３２】
図８に、本願発明についての変形例を示す。この例では、玄関子機２に、情報端末５から受信した呼出信号を居室親機３に中継する中継部２６を含む。中継部２６では、来訪者が玄関子機２の呼出ボタン２７を押下した場合に居室親機３を呼び出す既存の機能を利用して中継処理を実施する。また、玄関子機２には、中継部２６として機能する配送用アプリ２８がインストールされている。さらに、この例では、配送先情報４４は、居室親機ＩＤ、居室親機ＩＰアドレス等に代えて、玄関子機ＩＤ、玄関子機ＩＰアドレス等を含むように構成する。
【００３３】
本変形例のインターホンシステム１では、情報端末５の配送確認部５６は、管理サーバ４から配送先情報４４を読み出し、宅配業者Ｐ１が配送用アプリ５８で宛名を指定すると、該宛名に紐づく玄関子機ＩＰアドレス情報を用いて、配送先の玄関子機２に呼出信号を送信する。呼出信号を受信した玄関子機２の中継部２６は、呼出信号を居室親機３に中継する。以上のように構成した場合には、玄関子機２に既存の機能を利用して居室親機３を呼び出すことができるため、開発コストを削減することが可能となる。
【００３４】
その他、本発明は、上記実施形態に限定されるものではなく、発明の趣旨を逸脱しない範囲で、各部の構成を任意に変更して実施することも可能である。例えば、配送用アプリ２８，３８，５８を一のファイルに纏めても、別々のファイルに設けることも可能である。
【符号の説明】
【００３５】
１  インターホンシステム
２  玄関子機
３  居室親機
４  管理サーバ
５  情報端末
６  住戸
１１  配送先選択画面
１２  配送確認中画面
１３  配送確認画面
１４  配送可能画面
１５  配送不可画面
１６  不在連絡票画面
１７  再配送依頼画面
２１，３１，４１，５１  ＣＰＵ
２２，３２，４２，５２  インターフェース
２３，３３，５３  マイク
２４，３４，５４  スピーカ
３５，３５  モニタ
２６  中継部
２７  呼出ボタン
２８  配送用アプリ
３６  応答部（ａ：ボタン）
３７  再配達依頼部
３８  配送用アプリ
４３  記憶部
４４  配送先情報
５６  配送確認部
５７  不在連絡情報送信部
５８  配送用アプリ
Ｐ１  宅配業者
Ｐ２  居住者
Ｎ  外部ネットワーク
Ａ  基地局
【図１】
2020162012.tif 000003
【図２】
2020162012.tif 000004
【図３】
2020162012.tif 000005
【図４】
2020162012.tif 000006
【図５】
2020162012.tif 000007
【図６】
2020162012.tif 000008
【図７】
2020162012.tif 000009
【図８】
2020162012.tif 000010